(57)【特許請求の範囲】
【請求項１】
複数のシートを収納するためのシート収納器具であって、
前記複数のシートを収納するケースであって、各々のシートを取り出すための取出口を有する、ケースと、
各々のシートを前記取出口から取り出すときに、前記各々のシートに液体を噴霧する噴霧ユニットと、を備え、
前記ケースは、前記取出口を覆うフタ部を有し、前記フタ部には前記噴霧ユニットに前記液体を噴霧させるための噴霧ボタンが設けられ、
前記噴霧ボタンは、浅く押し込むことで前記液体を噴霧するとともに、深く押し込むことで前記フタ部を開けるようになっている、シート収納器具。
【請求項２】
前記噴霧ユニットは、前記液体を溜める液体貯留部と、次に取り出されるシートに向かって前記液体を噴霧する噴霧ノズルとから構成される、請求項１に記載されたシート収納器具。
【発明の詳細な説明】
【技術分野】
【０００１】
本発明は、複数のシートを収納するシート収納器具に関するものである。
【背景技術】
【０００２】
従来から、トイレの清掃等に用いる使い捨てのシートが公知となっている。
【０００３】
例えば、特許文献１には、汚れ具合に応じてシートの使用量を任意に調整可能としたトイレ掃除用シートが開示されている。この特許文献１のトイレ掃除用シートは、洗浄液を含浸させた水解性繊維を所定幅でロール状に巻き取った製品形態とするとともに、長手方向に所定間隔で横断方向にミシン目を形成している。
【先行技術文献】
【特許文献】
【０００４】
【特許文献１】特開２００６−２７１６４７号公報
【発明の概要】
【発明が解決しようとする課題】
【０００５】
しかしながら、特許文献１のように、あらかじめ洗浄液を含浸させたシートを使用した場合には、開封から時間が経つとシートが乾燥してしまうため、シートを湿潤状態で使用することができない、という問題があった。
【０００６】
そこで、本発明は、シートを湿潤状態で使用することのできるシート収納器具を提供することを目的としている。
【課題を解決するための手段】
【０００７】
前記目的を達成するために、本発明のシート収納器具は、複数のシートを収納するためのシート収納器具であって、前記複数のシートを収納するケースであって、各々のシートを取り出すための取出口を有する、ケースと、各々のシートを前記取出口から取り出すときに、前記各々のシートに液体を噴霧する噴霧ユニットと、を備えている。
【０００８】
また、本発明の他の形態のシート収納器具は、複数のシートを収納するためのシート収納器具であって、前記複数のシートを収納するケースであって、各々のシートを取り出すための取出口を有する、ケースと、各々のシートを前記取出口から取り出すときに、前記各々のシートに液体を浸透させる浸透ユニットと、を備えている。
【発明の効果】
【０００９】
このように、本発明のシート収納器具は、複数のシートを収納するケースと、各々のシートを取出口から取り出すときに、各々のシートに液体を噴霧する噴霧ユニットとを備えている。これによって、シートを湿潤状態で使用することができる。
【００１０】
本発明の他の形態のシート収納器具は、複数のシートを収納するケースと、各々のシートを取出口から取り出すときに、各々のシートに液体を浸透させる浸透ユニットとを備えている。これによって、シートを湿潤状態で使用することができる。
【図面の簡単な説明】
【００１１】
【図１】実施例１のシート収納器具の斜視図である。
【図２】実施例１のシート収納器具の断面図である。
【図３】実施例２のシート収納器具の斜視図である。
【図４】実施例２のシート収納器具の断面図である。
【図５】実施例３のシート収納器具の断面図である。
【発明を実施するための形態】
【００１２】
以下、本発明の実施の形態について図面を参照して説明する。本発明のシート収納器具は、湿潤状態で使用されるシート用に幅広い用途で使用される。例えば、トイレ掃除用、化粧落としや顔パックなどの化粧品用、おしりふき用、ウェットティッシュ用、医療用、制汗剤などの日用品用などの用途に本発明のシート収納器具を使用できる。もちろん、ここに挙げた例以外でも、濡れた状態のシートを使用したほうが好ましい他の用途にも使用できる。
【実施例１】
【００１３】
（構成）
まず、図１、２を用いて本実施例のトイレ掃除用のシート収納器具１の全体構成を説明する。本発明のシート収納器具１は、図１、２に示すように、複数のシート８、・・・を収納するためのシート収納器具１であり、複数のシート８、・・・を収納するケース２であって、各々のシート８を取り出すための取出口３を有する、ケース２と、各々のシート８を取出口３から取り出すときに、各々のシート８に液体を噴霧する噴霧ユニット４と、を備える。
【００１４】
ケース２は、合成樹脂製の直方体状の容器であり、取出口３を覆うフタ部５を有する。フタ部５には噴霧ユニット４に液体を噴霧させるための噴霧ボタン５１が設けられている。なお、図示しないが、フタ部５は、例えば弦巻バネなどによって開く方向に付勢されている。ここにおいて、ケース２は、乾燥した状態のシート８、・・・を収納するものであるため、密封性を高める必要はない。なお、ケースの形状は、直方体状（平面形状が四角形）の容器でなくてもよい。例えば、平面形状が楕円形の容器であってもよいし、円柱状（平面形状が円形）の容器であってもよい。さらにいえば、例えば編んだカゴないし枠構造のように、通気性のある構造であってもよい。
【００１５】
シート８は、本実施例では、トイレ掃除用の水解性繊維シートであり、繊維とバインダ等からなる紙または不織布である。繊維としては、木材パルプ、非木材パルプ、レーヨン、コットン等のセルロース系繊維、ポリ乳酸等からなる生分解性繊維等がある。シート８は、四つ折りまたは八つ折りにした状態で積層することもできる。なお、水解性繊維シートには、洗浄液などの液体は含浸されていない。
【００１６】
フタ部５の内部には、図２に示すように、噴霧ボタン５１を押すことで、液体を噴霧させるための機構と、フタ部５自体を開くための機構と、が構成されている。
【００１７】
噴霧ボタン５１は、浅く押し込むことで液体を噴霧するとともに、深く押し込むことでフタ部５を開けるようになっている。すなわち、フタ部５の噴霧ボタン５１を押すことによって、はじめに大バネ５２に抗して押すことで噴霧し、次に大バネ５２および小バネ５３に抗して押すことでフタ部５が開くようになっている。
【００１８】
噴霧させるための機構は、手で下方に押される噴霧ボタン５１と、噴霧ボタン５１を上方に付勢する大バネ５２と、第１噴霧リンク５４および第２噴霧リンク５５と、を備える。
【００１９】
開くための機構は、手で下方に押される噴霧ボタン５１と、噴霧ボタン５１を上方に付勢する大バネ５２および小バネ５３と、第１開リンク５６および第２開リンク５７と、を備える。
【００２０】
このように、噴霧させるための機構および開くための機構の両方が、噴霧ボタン５１を押し下げることによって作動する（具体的な作動の順序は「（作用）」の項で説明する）。
【００２１】
噴霧ユニット４は、液体を溜める液体貯留部４１と、次に取り出されるシート８に向かって液体を噴霧する噴霧ノズル４２とから構成される。液体貯留部４１には、噴霧される液体として洗浄液が貯留されている。洗浄液は、水を媒体とし、界面活性剤、水溶性溶剤、除菌剤等を含有することが好ましい。さらに、消臭剤、防腐剤等を含有することもできる。噴霧ノズル４２は、下向きに方向付けられており、洗浄液を下方にあるシート８に噴霧できるようになっている。噴霧ユニット４としては、汎用品を用いることができる。なお、図示しないが、液体貯留部４１の内部には、噴霧ノズル４２から伸びるチューブが挿入されており、液体を吸い込むようになっている。チューブの先端には、錘が取り付けられており、傾けた状態でもチューブの先端が液体中に浸かるようになっている。
【００２２】
（作用）
次に、本実施例のシート収納器具１の作用について説明する。
【００２３】
はじめに、噴霧させる作用について説明する。トイレを掃除しようとする人は、洗浄液を噴霧するために噴霧ボタン５１を手で浅く押す。この際、大バネ５２のみが対抗するため、押し返す力が弱くなっており、浅く押していることが手の感覚のみで認識できる。
【００２４】
噴霧ボタン５１が下方に移動すると、第１噴霧リンク５４の下端が噴霧ユニット４側に移動するため、第２噴霧リンク５５も噴霧ユニット４側に移動する。そうすると、第２噴霧リンク５５の噴霧ユニット４側（図２では右側）の端部が噴霧ノズル４２のヘッド部を押すことになる。そして、噴霧ノズル４２からシート８に向かって洗浄液が噴霧される。
【００２５】
次に、開く作用について説明する。トイレを掃除しようとする人は、洗浄液を噴霧した後に、噴霧ボタン５１を手でより深く押す。この際、大バネ５２および小バネ５３が対抗するため、押し返す力が強くなり、深く押していることが手の感覚のみで認識できる。
【００２６】
噴霧ボタン５１が下方に移動すると、第１開リンク５６の下端が噴霧ユニット４側（図２では左側）に移動するため、第２開リンク５７も噴霧ユニット４側に移動する。そうすると、第２開リンク５７の右端がケース２の掛止片２１から抜け出るため、フタ部５が開く。
【００２７】
その後、取出口３に手を入れて、洗浄液が噴霧されて湿潤状態となっているシート８を取り出してトイレを掃除する。このように、噴霧した後にフタ部５を開くことによって、常にシート８は湿潤状態で取り出される。
【００２８】
なお、噴霧は、複数回実施することもできるし、１回のみ実施して噴霧と同時にフタ部５を開くこともできる。
【００２９】
（効果）
次に、本実施例のシート収納器具１の効果を列挙する。
【００３０】
（１）本実施例のシート収納器具１は、複数のシート８、・・・を収納するためのシート収納器具１であって、複数のシート８、・・・を収納するケース２であって、各々のシート８を取り出すための取出口３を有する、ケース２と、各々のシート８を取出口３から取り出すときに、各々のシート８に液体を噴霧する噴霧ユニット４と、を備えている。このため、シートを湿潤状態で使用することができる。
【００３１】
（２）噴霧ユニット４は、液体を溜める液体貯留部４１と、次に取り出されるシート８に向かって液体を噴霧する噴霧ノズル４２とから構成される。したがって、必要に応じて噴霧する液体の貯留量、成分、種類などを選択的に変更することができる。
【００３２】
（３）ケース２は、取出口３を覆うフタ部５を有し、フタ部５には噴霧ユニット４に液体を噴霧させるための噴霧ボタン５１が設けられている。これによって、シート収納器具１の全体寸法を小型化することができる。加えて、噴霧ユニット４を、フタ部５の内部に配置することによって、いっそう小型化することもできる。
【００３３】
本発明で対象とする用途は、主に日用品であるため、小型化・軽量化して持ち運んだり収納しやすくしたりすることは重要である。
【００３４】
（４）噴霧ボタン５１は、浅く押し込むことで液体を噴霧するとともに、深く押し込むことでフタ部５を開けるようになっている。したがって、フタ部５を開ける際には自動的に液体を噴霧するようになっている。すなわち、噴霧し忘れることを防止できる。
【００３５】
さらに、噴霧ボタン５１を浅く押し込む動作を繰り返すことによって、液体を噴霧させる量を好みに合わせて調整できる。例えば、トイレ掃除用のシートの場合には、汚れがひどい箇所に使用するシートに対しては洗浄液を多めに噴霧することができる。
【実施例２】
【００３６】
以下、図３、４を用いて、実施例１とは別の形態のシート収納器具１Ａについて説明する。なお、前記実施の形態で説明した内容と同一乃至均等な部分の説明については同一符号を付して説明する。
【００３７】
（構成）
まず構成について説明すると、本実施例のシート収納器具１Ａは、実施例１と同様に、ケース２と、噴霧ユニット４と、を備える。ケース２は、取出口３を覆うフタ部５を有する。
【００３８】
そして、本実施例のフタ部５には、噴霧ユニット４に液体を噴霧させるための噴霧ボタン５１と、フタ部５を開くための開ボタン６とが設けられている。なお、図示しないが、フタ部５は、例えば弦巻バネなどによって開く方向に付勢されている。
【００３９】
フタ部５の内部には、図４に示すように、噴霧ボタン５１を押すことで、液体を噴霧させるための機構と、開ボタン６を押すことでフタ部５を開くための機構と、が別個に構成されている。
【００４０】
噴霧ボタン５１は、押し込むことで液体を噴霧するようになっている。噴霧させるための機構は、手で下方に押される噴霧ボタン５１と、噴霧ボタン５１を上方に付勢する大バネ５２と、第１噴霧リンク５４および第２噴霧リンク５５と、を備える。
【００４１】
開ボタン６は、押し込むことでフタ部５を開くようになっている。開くための機構は、手で下方に押される開ボタン６と、開ボタン６を上方に付勢する小バネ５３と、第１開リンク５６および第２開リンク５７と、を備える。
【００４２】
（作用）
次に作用について説明する。はじめに、噴霧させる作用について説明する。トイレを掃除しようとする人は、洗浄液を噴霧するために噴霧ボタン５１を手で押す。
【００４３】
噴霧ボタン５１が下方に移動すると、第１噴霧リンク５４の下端が噴霧ユニット４側に移動するため、第２噴霧リンク５５も噴霧ユニット４側に移動する。そうすると、第２噴霧リンク５５の噴霧ユニット４側（図２では右側）の端部が噴霧ノズル４２のヘッド部を押すことになる。そして、噴霧ノズル４２からシート８に向かって洗浄液が噴霧される。
【００４４】
次に、開く作用について説明する。トイレを掃除しようとする人は、洗浄液を噴霧した後に、開ボタン６を手で押す。
【００４５】
開ボタン６が下方に移動すると、第１開リンク５６の下端が噴霧ユニット４側（図２では左側）に移動するため、第２開リンク５７も噴霧ユニット４側に移動する。そうすると、第２開リンク５７の右端がケース２の掛止片２１から抜け出るため、フタ部５が開く。
【００４６】
その後、取出口３に手を入れて、洗浄液が噴霧されて湿潤状態となっているシート８を取り出してトイレを掃除する。このように、噴霧した後にフタ部５を開くことによって、シート８が湿潤状態で取り出される。
【００４７】
（効果）
次に、効果について説明する。本実施例のシート収納器具１Ａのケース２は、噴霧ボタン５１とは別に、フタ部５を開くための開ボタン６をさらに有している。このように、噴霧する動作および開く動作が、別個のボタンに割り当てられることで、ユーザにとって使用方法がわかりやすくなる。
【００４８】
また、噴霧することなく、乾燥したままの状態でシート８を取り出すこともできる。すなわち、実施例１では、開く動作の途中に噴霧する動作が設定されていたため、開く際には必ず噴霧していた。これに対して実施例２では、開く動作と噴霧する動作が別個に設定されているため、両者を別々に実施することができる。
【００４９】
なお、この他の構成および作用効果については、実施例１と略同様であるため説明を省略する。
【実施例３】
【００５０】
以下、図５を用いて、実施例１、２とは別の形態のシート収納器具１Ｂについて説明する。なお、前記実施の形態で説明した内容と同一乃至均等な部分の説明については同一符号を付して説明する。
【００５１】
まず、構成について説明すると、本実施例のシート収納器具１Ｂは、図５に示すように、シート８の取出口３を有するケース２と、各々のシート８を取出口３から取り出すときに、各々のシート８に液体を浸透させる浸透ユニット７と、を備える。
【００５２】
ケース２は、取出口３を覆うフタ部５を有する。フタ部５には浸透ユニット７から液体を放出させるための浸透ボタン７１が設けられている。そして、浸透ボタン７１の下に、浸透ユニット７が取り付けられている。なお、図示しないが、浸透ボタン７１とは別に開ボタンもフタ部５に配置されている（実施例２参照）。
【００５３】
浸透ユニット７は、樹脂によって蛇腹形状の容器として形成されるものであり、底面には複数の放出孔が設けられている。蛇腹形状の容器の内部には、蛇腹が開いた状態で放出孔から漏れ出ない程度の粘性を有する液体が貯留されている。
【００５４】
なお、図示しないが、蛇腹形状の浸透ユニット７の弾性を補助するために、浸透ユニット７の外側に、浸透ボタン７１を押し返すバネを設置することもできる。これによって、浸透ユニット７単体での弾性が小さくてよくなるため、浸透ユニット７を柔軟性のある材料で形成することができる。
【００５５】
本実施例の場合の液体としては、ゲル状の洗浄液を使用することができる。洗浄液は、水にゲル化剤を加えたものを媒体とし、界面活性剤、水溶性溶剤、除菌剤等を含有することが好ましい。さらに、消臭剤、防腐剤等を含有することもできる。
【００５６】
次に、作用・効果について説明すると、本実施例のシート収納器具１Ｂは、ケース２と、各々のシート８を取出口３から取り出すときに、各々のシート８に液体を浸透させる浸透ユニット７と、を備えている。このため、きわめて簡単な構成によって、シート８を湿潤状態で使用することができるようになる。
【００５７】
なお、この他の構成および作用効果については、実施例１、２と略同様であるため説明を省略する。
【００５８】
以上、図面を参照して、本発明の実施例を詳述してきたが、具体的な構成は、この実施例に限らず、本発明の要旨を逸脱しない程度の設計的変更は、本発明に含まれる。
【００５９】
例えば、実施例１〜３では、液体が含浸されていない状態で収納されているシート８について説明したが、これに限定されるものではない。あらかじめ液体が含浸されて収納されているシートであっても、長期間の放置後に使用する場合には乾燥しており湿潤状態にする必要があるため、本発明のシート収納器具の噴霧ユニットまたは浸透ユニットを適用することができる。
【００６０】
また、実施例１〜３では、特に限定しなかったが、噴霧ユニット４は、補充式とすることもできる。例えば、液体貯留部４１に別売の袋入りの液体を充填するように構成することもできる。
【００６１】
さらに、実施例１〜３では、シート８を上方から取り出す横置型のシート収納器具１、１Ａ、１Ｂについて説明したが、これに限定されるものではない。横置型であってもシート８を下方から取り出すこともできるし、シートを側方から取り出す縦置型のシート収納器具であっても本発明を適用できる。
【００６２】
また、実施例１では、噴霧させるための機構および開くための機構について詳細に説明したが、これらは例示であって、もちろん他の機構によっても噴霧したりフタを開いたりすることができる。
【符号の説明】
【００６３】
１、１Ａ、１Ｂ  シート収納器具
２          ケース
３          取出口
４          噴霧ユニット
４１        液体貯留部
４２        噴霧ノズル
５          フタ部
５１        噴霧ボタン
６          開ボタン
７          浸透ユニット
８          シート
【要約】
【課題】シートを湿潤状態で使用することのできるシート収納器具を提供する。
【解決手段】複数のシート８、・・・を収納するためのシート収納器具１である。複数のシート８、・・・を収納するケース２であって、各々のシート８を取り出すための取出口３を有する、ケース２と、各々のシート８を取出口３から取り出すときに、各々のシート８に液体を噴霧する噴霧ユニット４と、を備えている。噴霧ユニット４は、液体を溜める液体貯留部４１と、次に取り出されるシート８に向かって液体を噴霧する噴霧ノズル４２とから構成されている。
【選択図】図２【図１】
0005652979.tif 000002
【図２】
0005652979.tif 000003
【図３】
0005652979.tif 000004
【図４】
0005652979.tif 000005
【図５】
0005652979.tif 000006